(57)【要約】【課題】天板の下側の空間部を利用して保持具を設け、かつ、この保持具の付設位置を、天板の前後方向の所望の位置に容易に変更できるようにする。【解決手段】天板２の下側に、天板２の前後方向又は左右方向に長い案内レール７を設け、該案内レール７に保持具９を、案内レール７の長手方向に摺動可能に設ける。前記保持具９を案内レール７に取り外し可能に設ける。【選択図】図１
2005224332.tif 000002
【特許請求の範囲】
【請求項１】
天板に、天板の前後方向又は左右方向に長い案内レールを設け、該案内レールに保持具を、案内レールの長手方向に摺動可能に設けたことを特徴とするデスク。
【請求項２】
前記案内レールを、天板の端面より内側へ入った天板の下側において天板の端面に平行して配置した請求項１記載のデスク。
【請求項３】
前記保持具を案内レールに取り外し可能に設けた請求項１又は２記載のデスク。
【請求項４】
前記案内レール内に空洞部を形成し、その外壁に空洞部の上下方向の中間部で、かつ空洞部に連通する案内開口部を形成し、保持具に、前記案内開口部の下側の外壁上端に嵌合する溝部と、前記案内開口部の上側の外壁の内面に係止する係止部１０ｃを一連に形成した取付部を備えて、該取付部を、案内開口部から挿入して下降することにより案内レールに取り付け、この逆の操作で案内レールから取り外すことができるようにした請求項３記載のデスク。
【請求項５】
前記保持具を、小物を入れる受台またはフックとした請求項１乃至４のいずれかに記載のデスク。
【発明の詳細な説明】
【技術分野】
【０００１】
本発明はデスクに関する。
【背景技術】
【０００２】
従来、学童用デスクや事務用デスクなどにおいて、フックを、デスクの側部に溶接で固着したり、デスク側に形成した穴に引っ掛けて付設し、該フックにカバンやその他の物を引っ掛け保持するデスクが知られている。
【発明の開示】
【発明が解決しようとする課題】
【０００３】
前記従来のフックを用いるものにおいては、その付設位置が固定され、その付設位置を変更することは困難であった。
そこで本発明は、フックや受台などを、天板の下部空間を利用して付設するとともにその付設位置を容易に変更することができるデスクを提供することを目的とするものである。
【課題を解決するための手段】
【０００４】
前記の課題を解決するために、請求項１記載の発明は、天板に、天板の前後方向又は左右方向に長い案内レールを設け、該案内レールに保持具を、案内レールの長手方向に摺動可能に設けたことを特徴とするものである。
【０００５】
請求項２記載の発明は、請求項１記載の発明において、前記案内レールを、天板の端面より内側へ入った天板の下側において天板の端面に平行して配置したものである。
【０００６】
請求項３記載の発明は、請求項１又は２記載の発明において、前記保持具を案内レールに取り外し可能に設けたものである。
【０００７】
請求項４記載の発明は、請求項３記載の発明において、前記案内レール内に空洞部を形成し、その外壁に空洞部の上下方向の中間部で、かつ空洞部に連通する案内開口部を形成し、保持具に、前記案内開口部の下側の外壁上端に嵌合する溝部と、前記案内開口部の上側の外壁の内面に係止する係止部１０ｃを一連に形成した取付部を備えて、該取付部を、案内開口部から挿入して下降することにより案内レールに取り付け、この逆の操作で案内レールから取り外すことができるようにしたものである。
【０００８】
請求項５記載の発明は、請求項１乃至４のいずれかに記載の発明において、前記保持具を、小物を入れる受台またはフックとしたものである。
【発明の効果】
【０００９】
請求項１記載の発明によれば、保持具を案内レールに沿って移動することにより、保持具の付設位置を所望の位置に容易に変更することができる。
【００１０】
請求項２記載の発明によれば、更に、保持具を天板の下部空間に設けることができるため、天板の下部空間を有効利用できる。
【００１１】
請求項３記載の発明によれば、保持具が不要な場合には案内レールより外すことができ、また、保持具をオプションとして販売、購入して後付けすることもできる。
請求項４記載の発明によれば、保持具の取り付け及び取り外しが容易に行える。
【００１２】
請求項５記載の発明のように保持具を小物を入れる受台とすれば、これに鉛筆や消しゴムなどの小物を収納でき、また、保持具をフックとすれば、カバンなどを引っ掛けて保持することができる。
【発明を実施するための最良の形態】
【００１３】
本発明を実施するための最良の形態を図に示す実施例に基づいて説明する。
図において、デスク１の天板２の下面には四隅に位置して支脚３が固設されている。該支脚３は、デスク、すなわち天板２の左右方向Ａ−Ｂの側（着席側Ｃから見て左右側）の端面４から内側へ所定量入った位置に設けられており、支脚３より左右方向Ａ−Ｂの外側において、天板２の下側に下部空間５を有するようになっている。
【００１４】
天板２の前後方向Ｄ−Ｅにおける前後の支脚３，３間には、天板２の下側において補強枠６が架設固定されている。
【００１５】
更に、前後の支脚３，３間には、補強枠６の外面に沿って案内レール７が架設固定されている。該案内レール７は、支脚３，３に固着してもよく、また、補強枠６に固着してもよい。したがって、案内レール７は、天板２の左右方向の端面より内側へ所定量入った位置において、天板２の端面４に平行して配置され、天板２の下側において前後方向に配置されている。
【００１６】
案内レール７は金属製の型材などで形成されており、横断面形状において、該案内レール７の外壁７ａに案内開口部８ａを形成し、内部に前記案内開口部８ａに連通するとともに案内開口部８ａを上下長よりも長い空洞部８ｂを形成し、これらを案内レール７の長手方向（支脚３，３間）の全長にわたって形成して、案内溝８を形成している。前記案内開口部８ａにより分断された下側外壁を７ｂとし、上側外壁を７ｃとする。
【００１７】
前記案内レール７には保持具９を備えている。該保持具９は、図の実施例では、鉛筆や消しゴムなどの小物を入れる受台９ａとカバンなどを引っ掛けるフック９ｂを例示している。
【００１８】
保持具９の一端側、すなわち案内レール７への取付側には、前記案内溝８に取脱可能に嵌合でき、かつ、案内溝８の長手方向に沿って移動できる取付部１０が設けられている。該取付部１０は板材で形成され、保持具９の主体部９ｃより上方へ延びる当接部１０ａと、該当接部１０ａの上端から後側下方へ折曲して形成した溝部１０ｂと、該溝部１０ｂの下端から上方へ折曲して形成した係止部１０ｃとを一連に形成している。
【００１９】
更に、前記溝部１０ｂは、前記案内レール７の下側外壁７ｂの上端に摺動可能に嵌合するように形成され、また、前記係止部１０ｃは、前記案内レール７の上側外壁７ｃの内面に当接する長さに形成されている。
【００２０】
更に、前記案内レール７における空洞部８ｂの上方への長さは、図２のように、係止部１０の溝部１０ｂを下側外壁７ｂの上端に嵌合した状態において、係止部１０ｃの上方に空隙が生じ、この状態から取付部１０を上動して溝部１０ｂを下側外壁７ｂの上端から外した後、外側へ引く動作により、取付部１０を案内レール７から取り外すことができるようになっている。また、この動作とは逆の動作で取付部１０を案内溝８に嵌合できるようになっている。
【００２１】
前記保持具９の左右方向Ａ−Ｂの長さＬ１は、前記案内レール７の外側であって天板２の下部空間５内に収まるように設定されている。
【００２２】
以上のように、保持具９を案内レール７に取り付けた状態においては、その保持具９の当接部１０ａが案内レール７における下側外壁７ｂの外面に当接し、係止部１０ｃが案内レール７における上側外壁７ｃの内面に当接して、その保持具９は案内レール７に支持される。したがって、該保持具９を、図に示すような受台９ａ状に形成することにより、鉛筆や消しゴムなどの小物を入れて保持でき、また、フック９ｂ状に形成することにより、これにカバンなどを引っ掛けて保持することができる。
【００２３】
また、この保持具９の付設位置を、デスク１の前後方向において変更したい場合には、この保持具９を手操作により案内レール７に沿ってスライドさせることにより、所望の位置に変更することができる。
【００２４】
また、保持具９を使用しない場合に案内レール７から取り外すには、図２の状態から保持具９を手で持ち上げてその溝部１０ｂを案内レール７の下側外壁７ｂの上端から外して外側へ引くことにより取り外すことができる。また、保持具９を取り付ける場合は、前記と逆の操作で行う。
【００２５】
更に保持具９は、天板２の下部の空間５に配置されるため、その空間を有効に利用でき、また、人が通る場合において保持具９が当たることを防止できる。
【００２６】
また、保持具９を取り外し可能にデスクに付設できるため、この保持具９をオプションとして販売、購入でき、必要により後付けすることもできる。
【００２７】
なお、前記の実施例では、案内レール７を天板２の左右方向Ａ−Ｂの端部において前後方向Ｄ−Ｅに配置したが、天板２の前後方向Ｅ−Ｄの端部において左右方向Ａ−Ｂに配置してもよい。すなわち、学童用デスクにおいては天板２の左右方向の端部に設け、会議用のデスクにおいては天板２の左右方向の端部と前後方向の端部のいずれか一方或いは双方に設けてもよい。
【図面の簡単な説明】
【００２８】
【図１】本発明の実施例を示す斜視図。
【図２】本発明の要部の拡大正断面図。
【符号の説明】
【００２９】
１  デスク
２  天板
５  下部空間
７  案内レール
７ａ  外壁
７ｂ  下側の外壁
７ｃ  上側の外壁
８  案内溝
８ａ  案内開口部
８ｂ  空洞部
９  保持具
１０  取付部
１０ｂ  溝部
１０ｃ  係止部
【図１】
2005224332.tif 000003
【図２】
2005224332.tif 000004